(57)【要約】【課題】  高速走査が可能で擬似輪郭を低減させることができ、また、明暗比を向上させることができるプラズマ表示パネルの駆動方法を提供する。【解決手段】  プラズマ表示パネルにおいて、一つのフィールドを第１サブフィールドグループと第２サブフィールドグループに分割する。そして第１サブフィールドグループのうちの最初のサブフィールドは選択的記入方式で発光セルを選択し、残りサブフィールドは選択的消去方式で発光セルで非発光セルを選択する。また、第２サブフィールドグループのうちの最初のサブフィールドは選択的記入方式で発光セルを選択し、残りサブフィールドは選択的消去方式で発光セルで非発光セルを選択する。そして第１及び第２サブフィールドグループの最初サブフィールドでは全ての放電セルを初期化するリセット動作が行われる。【選択図】  図７
2005346063.tif 000002
【特許請求の範囲】
【請求項１】
表示動作を担当する複数の行電極と、前記行電極に交差する方向に形成される複数の列電極と、前記行電極及び前記列電極によって定義される複数の放電セルと、を含むプラズマ表示パネルで、一フィールドを複数のサブフィールドに分割して階調を表現する駆動方法において、
前記複数の行電極を複数の行グループにグループ化し、一つのサブフィールドを前記複数の行グループに各々対応する複数の選択期間に分割し、
前記複数のサブフィールドのうち時間的に先頭に位置する第１サブフィールドのリセット期間で前記複数の行グループの放電セルを非発光セル状態に初期化する段階と；
前記第１サブフィールドの第１行グループに対する選択期間において、前記第１行グループの放電セルのうちの発光セル状態に設定する放電セルを記入放電させ、維持期間の間に前記発光セルを維持放電させる段階と；
第２サブフィールドの前記第１行グループに対する選択期間において、前記第１行グループの前記発光セル状態の放電セルのうちの非発光セル状態に設定する放電セルを消去放電させ、維持期間の間に前記発光セルを維持放電させる段階と；
を含むことを特徴とするプラズマ表示パネルの駆動方法。
【請求項２】
前記第１サブフィールドの前記第１行グループに対する選択期間後である第２行グループに対する選択期間において、前記第２行グループの放電セルのうちの発光セル状態に設定する放電セルを記入放電させ、維持期間の間に前記発光セルを維持放電させる段階と；
前記第２サブフィールドの前記第２行グループに対する前記選択期間において、前記第２行グループの前記発光セル状態の放電セルのうちの非発光セル状態に設定する放電セルを消去放電させ、維持期間の間に前記発光セルを維持放電させる段階と；
をさらに含むことを特徴とする請求項１に記載のプラズマ表示パネルの駆動方法。
【請求項３】
前記第２行グループに対する選択期間の維持期間で前記第１行グループの発光セルが維持放電されることを特徴とする請求項２に記載のプラズマ表示パネルの駆動方法。
【請求項４】
各サブフィールドにおいて、前記第１行グループに対する選択期間の維持期間と、前記第２行グループに対する選択期間の維持期間との長さが同一であることを特徴とする請求項３に記載のプラズマ表示パネルの駆動方法。
【請求項５】
前記第１サブフィールドの維持期間と前記第２サブフィールドの維持期間との長さが同一であることを特徴とする請求項４に記載のプラズマ表示パネルの駆動方法。
【請求項６】
前記複数のサブフィールドのうちの時間的に最後に位置する第３サブフィールドにおいて、前記第１行グループに対する選択期間で所定期間が経過した後、前記第１行グループの発光セル状態の放電セルを非発光セル状態に設定する段階をさらに含むことを特徴とする請求項１〜５のいずれか一項に記載のプラズマ表示パネルの駆動方法。
【請求項７】
前記第１行グループに対する前記選択期間と前記所定期間との長さの合計は前記第３サブフィールドの複数の選択期間の合計に相当することを特徴とする請求項６に記載のプラズマ表示パネルの駆動方法。
【請求項８】
放電セルが前記第１サブフィールドで発光セル状態に設定された後、前記複数のサブフィールドで時間的にn番目サブフィールドで非発光セル状態に設定される場合に（n-１）階調が表示されることを特徴とする請求項１〜５のいずれか一項に記載のプラズマ表示パネルの駆動方法。
【請求項９】
表示動作を担当する複数の行電極と前記行電極に交差する方向に形成される複数の列電極と、前記行電極及び前記列電極によって各々定義される複数の放電セルとが形成されているプラズマ表示パネルで、一つのフィールドを複数のサブフィールドに分割して階調を表現する駆動方法において、
前記複数のサブフィールドのうちの時間的に先頭に位置する少なくとも一つの第１サブフィールドは第１アドレス期間と第１維持期間とを含み、
前記第１サブフィールド以外の複数の第２サブフィールドで、前記複数の行電極を複数の行グループにグループ化し、一つの第２サブフィールドを前記複数の行グループに各々対応する複数の選択期間に分割し、前記選択期間は第２アドレス期間と第２維持期間とを含み、
前記第１サブフィールドにおいて、前記第１アドレス期間の間に前記複数の放電セルのうちの発光セルを選択し、前記第１維持期間の間に前記発光セルを維持放電させる段階と；
前記第２サブフィールドの前記第１行グループに対する前記選択期間において、前記第２アドレス期間の間に前記第１行グループの前記放電セルのうちの発光セルを選択し、前記第２維持期間の間に前記発光セルを維持放電させる段階と；
を含むことを特徴とするプラズマ表示パネルの駆動方法。
【請求項１０】
前記少なくとも一つの第１サブフィールドは各々前記第１アドレス期間の直前に第１リセット期間をさらに含み、
前記第１サブフィールドの前記第１リセット期間の間に前記複数の放電セルを非発光セル状態に初期化する段階をさらに含み、
前記少なくとも一つの第１サブフィールドの前記第１アドレス期間の間に前記複数の放電セルのうちの発光セル状態に設定する放電セルを記入放電させることを特徴とする請求項９に記載のプラズマ表示パネルの駆動方法。
【請求項１１】
前記少なくとも一つの第１サブフィールドの前記第１維持期間は各々の加重値を有し、
前記少なくとも一つの第１サブフィールドにおいて、放電セルが発光セル状態に設定される前記第１サブフィールドの前記第１維持期間の加重値の合計により、前記第１サブフィールドにおける階調を表示することを特徴とする請求項１０に記載のプラズマ表示パネルの駆動方法。
【請求項１２】
前記少なくとも一つの第１サブフィールドは時間的に先頭に位置する第３サブフィールドと前記第３サブフィールド以外の第４サブフィールドとを含み、
前記第３サブフィールドは前記第１アドレス期間の直前に第１リセット期間をさらに含み、
前記第１リセット期間の間に前記複数の放電セルを非発光セル状態に初期化する段階をさらに含み、
前記第３サブフィールドの前記第１アドレス期間の間に前記複数の放電セルのうちの発光セル状態に設定する放電セルを記入放電させることを特徴とする請求項９に記載のプラズマ表示パネルの駆動方法。
【請求項１３】
前記第４サブフィールドの前記第１アドレス期間の間に、直前サブフィールドで前記発光セル状態である放電セルのうちの非発光セル状態に設定する放電セルを消去放電させることを特徴とする請求項１２に記載のプラズマ表示パネルの駆動方法。
【請求項１４】
前記少なくとも一つの第１サブフィールドの前記第１維持期間は同一な加重値を有し、放電セルが前記第３サブフィールドで発光セル状態に設定された後、前記第１サブフィールドにおいて時間的にn番目サブフィールドで非発光セル状態に設定される場合に前記少なくとも一つの第１サブフィールドでは（n-１）階調が表示されることを特徴とする請求項１３に記載のプラズマ表示パネルの駆動方法。
【請求項１５】
前記複数の第２サブフィールドは時間的に先頭に位置する第５サブフィールドと前記第５サブフィールド以外の複数の第６サブフィールドとを含み、
前記第５サブフィールドにおいて、リセット期間の間に前記複数の行グループの放電セルを非発光セル状態に初期化する段階と；
前記第５サブフィールドの第１行グループに対する前記選択期間において、第２アドレス期間の間に前記第１行グループの放電セルのうちの発光セル状態に設定する放電セルを記入放電させ、第２維持期間の間に前記発光セルを維持放電させる段階と；
前記第６サブフィールドの前記第１行グループに対する前記選択期間において、第２アドレス期間の間に前記第１行グループの前記発光セル状態の放電セルのうちの非発光セル状態に設定する放電セルを消去放電させ、第２維持期間の間に前記発光セルを維持放電させる段階と；
をさらに含むことを特徴とする請求項９〜１４のいずれか一項に記載のプラズマ表示パネルの駆動方法。
【請求項１６】
前記第５サブフィールドの前記第１行グループに対する選択期間後である第２行グループに対する選択期間において、前記第２アドレス期間の間に前記第２行グループの放電セルのうちの発光セル状態に設定する放電セルを記入放電させ、前記第２維持期間の間に前記発光セルを維持放電させる段階と；
前記第６サブフィールドの前記第２行グループに対する前記選択期間において、前記第２アドレス期間の間に前記第２行グループの前記発光セル状態の放電セルのうちの非発光セル状態に設定する放電セルを消去放電させ、前記第２維持期間の間に前記発光セルを維持放電させる段階と；
をさらに含むことを特徴とする請求項１５に記載のプラズマ表示パネルの駆動方法。
【請求項１７】
前記第２行グループ選択期間の前記第２維持期間において、前記第１行グループの発光セルが維持放電されることを特徴とする請求項１６に記載のプラズマ表示パネルの駆動方法。
【請求項１８】
前記第２サブフィールドの前記第１行グループに対する選択期間の前記第２維持期間と、前記第２行グループに対する選択期間の前記第２維持期間との長さが同一であることを特徴とする請求項１７に記載のプラズマ表示パネルの駆動方法。
【請求項１９】
前記複数の第６サブフィールドのうちの時間的に最後に位置するサブフィールドにおいて、
前記第１行グループに対する選択期間で所定期間が経過した後、前記第１行グループの発光セル状態の放電セルを非発光セル状態に設定する段階をさらに含むことを特徴とする請求項１５に記載のプラズマ表示パネルの駆動方法。
【請求項２０】
前記第１行グループに対する選択期間と前記所定期間との長さの合計は、前記最後サブフィールドの複数の選択期間の合計に相当することを特徴とする請求項１９に記載のプラズマ表示パネルの駆動方法。
【請求項２１】
放電セルが前記第５サブフィールドで発光セル状態に設定された後、前記第２サブフィールドにおいて時間的にm番目サブフィールドで非発光セル状態に設定される場合に前記複数の第２サブフィールドでは（m-１）階調が表示され、
前記第１サブフィールドで表示される階調と前記第２サブフィールドで表示される階調との合計によって一つのフィールドにおける階調が表示されることを特徴とする請求項１５に記載のプラズマ表示パネルの駆動方法。
【請求項２２】
表示動作を担当する複数の行電極と前記行電極に交差する方向に形成される複数の列電極と、前記行電極及び前記列電極によって各々定義される複数の放電セルとが形成されているプラズマ表示パネルで、一つのフィールドを複数のサブフィールドに分割して階調を表現する駆動方法において、
前記複数の行電極を複数の行グループにグループ化し、
前記複数のサブフィールドのうちの時間的に先頭に位置する第１サブフィールドで前記複数の放電セルに対して初期化を行う段階と；
前記第１サブフィールドで各行グループに対して順次に第１方式のアドレス放電で発光セルを設定する段階と；
前記第１サブフィールドで各行グループのアドレス放電後に前記発光セルを維持放電させる段階と；
前記複数のサブフィールドのうちの第２サブフィールドにおいて、各行グループに対して順次に第２方式のアドレス放電で発光セルを設定する段階と；
前記第２サブフィールドで各行グループのアドレス放電後に前記発光セルを維持放電させる段階と；を含み、
前記第１方式のアドレス放電によって非発光セル状態の放電セルが発光セル状態に設定され、前記第２方式のアドレス放電によって発光セル状態の放電セルが非発光セル状態に設定されることを特徴とするプラズマ表示パネルの駆動方法。
【請求項２３】
表示動作を担当する複数の行電極と前記行電極に交差する方向に形成される複数の列電極と、前記行電極及び前記列電極によって各々定義される複数の放電セルとが形成されているプラズマ表示パネルで、一つのフィールドを複数のサブフィールドに分割して階調を表現する駆動方法において、
前記複数のサブフィールドのうちの第１グループの各サブフィールドで複数の行電極に対して発光セルを設定する段階と；
前記第１サブフィールドで前記複数の行電極の前記発光セルを維持放電させる段階と；
前記複数のサブフィールドのうちの第２グループの各サブフィールドで前記複数の行電極を複数の行グループにグループ化し、各行グループに対して順次に発光セルを設定する段階と；
前記第２サブフィールドで各行グループの前記発光セル設定期間と次行グループの前記発光セル設定期間との間で前記発光セルを維持放電させる段階と；
を含むことを特徴とするプラズマ表示パネルの駆動方法。
【請求項２４】
前記第２グループのサブフィールドは第１方式のアドレス放電を行うサブフィールドと第１方式のアドレス放電を行うサブフィールドとを含み、
前記第１方式のアドレス放電によって非発光セル状態の放電セルが発光セル状態に設定され、前記第２方式のアドレス放電によって発光セル状態の放電セルが非発光セル状態に設定されることを特徴とする請求項２３に記載のプラズマ表示パネルの駆動方法。
【請求項２５】
前記第１グループのサブフィールドは第１方式のアドレス放電を行うサブフィールドを含み、
前記第１方式のアドレス放電によって非発光セル状態の放電セルが発光セル状態に設定されることを特徴とする請求項２３に記載のプラズマ表示パネルの駆動方法。
【請求項２６】
前記第１グループのサブフィールドは第２方式のアドレス放電を行うサブフィールドをさらに含み、
前記第２方式のアドレス放電によって発光セル状態の放電セルが非発光セル状態に設定されることを特徴とする請求項２５に記載のプラズマ表示パネルの駆動方法。
【請求項２７】
前記第１方式のアドレス防塵を行うサブフィールドは各グループのサブフィールドで時間的に先頭に位置することを特徴とする請求項２４〜２６のいずれか一項に記載のプラズマ表示パネルの駆動方法。
【発明の詳細な説明】
【技術分野】
【０００１】
本発明はプラズマ表示パネルの駆動方法に関するものである。
【背景技術】
【０００２】
プラズマ表示装置は気体放電によって生成されたプラズマを利用して文字または映像を表示するプラズマ表示パネルを利用する表示装置である。プラズマ表示パネルはその大きさに応じて数十から数百万個以上の放電セルがマトリクス形態に配列されている。このようなプラズマ表示パネルは印加される駆動電圧波形の形態及び放電セルの構造によって直流型（DC型）と交流型（AC型）とに区分される。
【０００３】
一般に交流型プラズマ表示パネルでは一つのフィールド（１TVフィールド）が各々の加重値を有する複数のサブフィールドに分割されて駆動され、複数のサブフィールドのうちの表示動作が起こるサブフィールド加重値の組合せによって階調が表示される。そして各サブフィールドは放電セルの中で点灯される放電セルを選択するためのアドレス期間と、アドレス期間より選択された放電セルを加重値に相当する期間の間に維持放電させる維持期間とを含んで成る。
【０００４】
この時、各サブフィールドで全ての放電セルに対してアドレシング動作を完了した後、全ての放電セルに対して維持放電動作を行う方法、つまり、アドレス期間と維持期間とを時間的に分離する方法があり、これを一般にADS（address display period separation）方法と言う。このADS方法は容易に実現することができるが、全ての放電セルに対して順次にアドレシング動作が行われるために時間的に後にアドレシングされる放電セル内部のプライミング粒子の不足でアドレシングが行われないことがある。したがって、安定的なアドレス放電のために行電極に順次に印加される走査パルスの幅を増やさなければならないのでアドレス期間の長さが長くなる。その結果、サブフィールドの長さが長くなって一つのフィールドで使用できるサブフィールドの個数が制限される。
【０００５】
このようなADS方法とは異なって、連続される維持放電パルスの間に各ラインのアドレスパルスを挿入し、あるラインに対して維持放電が行われる間に他のラインに対してアドレシング動作を行う方法がある。つまり、アドレス期間と維持期間とを分離しない方法で、一般にAWD（address while display）方法と言う。
【０００６】
このようなAWD方法ではアドレスパルスと維持放電パルスとが連続して進められるので、このように連続するパルスの間で初期化のためのリセットパルスが入らなければならない。したがって、長時間を必要とするリセットパルスを使用することができない。つまり、リセット放電を強い放電で行わなければならないので、ブラック画面が明るく表示されて明暗比が悪くなる。
【０００７】
また、ADS方法は全て階調表現のために互いに異なる加重値を有するサブフィールドを使用する。例えば、２の累乗形態に加重値を有するサブフィールドを使用する場合に一つの放電セルが連続する二つのフレームで各々１２７階調と１２８階調を表現する場合に擬似輪郭が発生する。
【発明の開示】
【発明が解決しようとする課題】
【０００８】
本発明が目的とする技術的課題は、高速走査が可能で擬似輪郭を低減させることができ、また、明暗比を向上させることができるプラズマ表示パネルの駆動方法を提供することにある。
【課題を解決するための手段】
【０００９】
このような課題を解決するために本発明によれば、表示動作を担当する複数の行電極と前記行電極に交差する方向に形成される複数の列電極と、前記行電極及び前記列電極によって各々定義される複数の放電セルとが形成されているプラズマ表示パネルにおいて、一つのフィールドを複数のサブフィールドに分割して階調を表現する駆動方法が提供される。
【００１０】
本発明の一つの実施例によれば、前記複数の行電極を複数の行グループにグループ化し、一つのサブフィールドを前記複数の行グループに各々対応する複数の選択期間に分割する。この駆動方法によれば、前記複数のサブフィールドのうちの時間的に先頭に位置する第１サブフィールドのリセット期間で前記複数の行グループの放電セルが非発光セル状態に初期化される。前記第１サブフィールドの第１行グループに対する選択期間で前記第１行グループの放電セルのうちの発光セル状態に設定する放電セルが記入放電され、維持期間の間に前記発光セルが維持放電される。そして第２サブフィールドの前記第１行グループに対する選択期間で前記第１行グループの前記発光セル状態の放電セルのうちの非発光セル状態に設定する放電セルが消去放電され、維持期間の間に前記発光セルが維持放電される。
【００１１】
本発明の他の実施例によれば、前記複数のサブフィールドのうちの時間的に先頭に位置する少なくとも一つの第１サブフィールドは第１アドレス期間と第１維持期間とを含む。前記第１サブフィールド以外の複数の第２サブフィールドで前記複数の行電極を複数の行グループにグループ化し、一つの第２サブフィールドを前記複数の行グループに各々対応する複数の選択期間に分割し、前記選択期間は第２アドレス期間と第２維持期間とを含む。そして本発明の駆動方法によれば、前記第１サブフィールドで前記第１アドレス期間の間に前記複数の放電セルのうちの発光セルが選択され、前記第１維持期間の間に前記発光セルが維持放電される。そして前記第２サブフィールドの前記第１行グループに対する前記選択期間において、前記第２アドレス期間の間に前記第１行グループの前記放電セルのうちの発光セルが選択され、前記第２維持期間の間に前記発光セルが維持放電される。
【００１２】
本発明の他の実施例によれば、前記複数の行電極を複数の行グループにグループ化する。本発明の駆動方法によれば、前記複数のサブフィールドのうちの時間的に先頭に位置する第１サブフィールドで前記複数の放電セルに対して初期化が行われる。前記第１サブフィールドで各行グループに対して順次に第１方式のアドレス放電で発光セルが設定され、前記第１サブフィールドで各行グループのアドレス放電後に前記発光セルが維持放電される。前記複数のサブフィールドのうちの第２サブフィールドにおいて、各行グループに対して順次に第２方式のアドレス放電で発光セルが設定され、前記第２サブフィールドで各行グループのアドレス放電後に前記発光セルが維持放電される。ここで、前記第１方式のアドレス放電によって非発光セル状態の放電セルが発光セル状態に設定され、前記第２方式のアドレス放電によって発光セル状態の放電セルが非発光セル状態に設定される。
【００１３】
本発明の他の実施例による駆動方法は、前記複数のサブフィールドのうちの第１グループの各サブフィールドで複数の行電極に対して発光セルが設定され、前記第１サブフィールドで前記複数の行電極の前記発光セルが維持放電される。前記複数のサブフィールドのうちの第２グループの各サブフィールドで前記複数の行電極を複数の行グループにグループ化し、各行グループに対して順次に発光セルが設定される。そして前記第２サブフィールドで各行グループの前記発光セル設定期間と次行グループの前記発光セル設定期間との間で前記発光セルが維持放電される。
【発明の効果】
【００１４】
本発明によれば、加重値の大きいサブフィールドを使用せず、連続的に点灯されるサブフィールドの個数で階調を表現することができるので擬似輪郭問題を解決することができる。また、アドレシング動作が維持期間後に各行グループに対して行われるので、維持期間で発生したプライミング粒子をアドレス放電に利用できるので走査パルスの幅を減らすことができる。そして選択的消去方式のアドレス期間を使用することによって走査パルスの幅をさらに減らすことができて高速走査が可能である。
【発明を実施するための最良の形態】
【００１５】
以下、添付した図面を参照して本発明の実施例について本発明の属する技術分野における通常の知識を有する者が容易に実施できるように詳細に説明する。しかし、本発明は多様で相異なる形態に実現することができ、ここで説明する実施例に限定されない。図面で本発明を明確に説明するために説明上不必要な部分は省略した。明細書全体にわたって擬似な部分については同一図面符号を付けた。
【００１６】
図１は本発明の実施例によるプラズマ表示装置の概略的な概念図である。
【００１７】
図１に示したように、本発明の実施例によるプラズマ表示装置はプラズマ表示パネル１００、制御部２００、アドレス電極駆動部３００、維持電極駆動部４００及び走査電極駆動部５００を含む。
【００１８】
プラズマ表示パネル１００は列方向に伸びている複数のアドレス電極（以下、“A電極”と言う）A１〜Am、そして行方向に互いに対を成しながら伸びている複数の維持電極（以下、“X電極”と言う）X１〜Xn及び走査電極（以下、“Y電極”と言う）Y１〜Ynを含む。一般にX電極X１〜Xnは各Y電極Y１〜Ynに対応して形成されている。そしてプラズマ表示パネル１００はX及びY電極X１〜Xn、Y１〜Ynが配列された基板（図示せず）とA電極A１〜Amが配列された基板（図示せず）とを含んで成る。二つのガラス基板はY電極Y１〜YnとA電極A１〜Amと及びX電極X１〜XnとA電極A１〜Amとが各々直交するように放電空間を間に置いて対向配置される。この時、A電極A１〜AmとX及びY電極X１〜Xn、Y１〜Ynとの交差部にある放電空間が放電セルを形成する。そして下述する駆動波形が適用できる他の構造のプラズマ表示パネルも本発明に適用することができる。
【００１９】
以下では一対のX電極及びY電極と一つのA電極とによって一つの放電セルが定義されるとして説明する。また、行方向に伸びている一対のX及びY電極を行電極とし、列方向に伸びているA電極を列電極とする。
【００２０】
制御部２００は外部から映像信号を受信してアドレス駆動制御信号、X電極駆動制御信号及びY電極駆動制御信号を出力する。そして制御部２００は一つのフィールドを各々の加重値を有する複数のサブフィールドに分割して駆動する。アドレス電極駆動部３００、X電極駆動部４００及びY電極駆動部５００は各々A電極A１〜Am、X電極X１〜Xn及びY電極Y１〜Ynに駆動電圧を印加する。
【００２１】
次に、図２乃至図４を参照して本発明の第１実施例によるプラズマ表示パネルの駆動方法について説明する。そして本発明の第１実施例では各行グループのアドレス期間後に印加される維持期間の長さが同一で、このような維持期間は全てのサブフィールドで同一な長さを有するとする。
【００２２】
図２は本発明の第１実施例によるプラズマ表示パネルの駆動方法を概略的に示す図面であり、図３は図２の駆動方法による階調表現方法を示す図面である。
【００２３】
図２に示したように、一つのフィールドは複数のサブフィールドSF１〜SF_lastからなり、各サブフィールドは同一な加重値を有するとする。そして複数の行電極X１〜Xn、Y１〜Ynは複数の行グループに分けられ、図２では説明の便宜上８個のグループに分けられると仮定した。また、複数の行グループG１〜G８は順次に１番目からj番目行電極が第１行グループG１（ここで、j=n/８）、（j+１）番目から（２j）番目行電極が第２行グループG２に設定され、このような式で（７j+１）番目からn番目行電極が第８行グループG８に設定される。
【００２４】
一般に、サブフィールドはパネル１００に形成される複数の放電セルの中で各サブフィールドごとに発光する放電セルと発光しない放電セルとを選択するためのアドレス期間とアドレス期間より選択された放電セルでサブフィールドの加重値に対応する期間の間に維持放電が起こって表示動作が行われる維持期間とからなる。この時、維持放電はアドレス期間でX電極とY電極との間に設定された壁電圧と維持期間でX電極とY電極との間に印加される電圧との合計が放電開示電圧を超える時に起こり、維持期間で印加される電圧は放電開示電圧よりも低い電圧に設定される。
【００２５】
しかし、アドレス期間で発光する放電セルと発光しない放電セルとを選択するための方式として選択的記入方式と選択的消去方式とがある。選択的記入方式は発光する放電セルを選択して一定の壁電圧を形成する方式であり、選択的消去方式は発光しない放電セルを選択して既に形成されている壁電圧を消去する方式である。以下ではアドレス期間で選択的記入方式または選択的消去方式によって発光する放電セルに選択された状態を“発光セル状態”と言い、選択的記入方式または選択的消去方式によって発光しない放電セルに選択された状態を“非発光セル状態”と言う。
【００２６】
本発明の第１実施例で第１サブフィールドSF１のアドレス期間は選択的記入方式、すなわち非発光セル状態の放電セルを記入放電させて放電セルに壁電荷を形成し発光セル状態に設定する方式からなる。そして残りサブフィールドSF２〜SF_lastのアドレス期間は選択的消去方式、つまり、発光セル状態の放電セルを消去放電させて放電セルで壁電圧を消去し非発光セル状態に設定する方式からなる。また、複数のサブフィールドSF１〜SF_lastで複数の行グループG１〜G８に対して順次にアドレス期間が行われ、各アドレス期間の間に同一長さの維持期間が行われる。そして、以下では各サブフィールドで一つの行グループに対するアドレス期間と維持期間とを合わせて当該行グループの“選択期間”と言い、各サブフィールドで全ての行グループの維持期間の合計を当該サブフィールドの“表示期間”と言う。複数の行電極が全８個の行グループG１〜G８からなる場合に、表示期間は一つの行グループの選択期間における維持期間の８倍である。
【００２７】
次に、図２を参照して本発明の第１実施例による駆動方法について詳細に説明する。
【００２８】
まず、第１サブフィールドSF１では選択されなかった放電セルが維持期間で誤放電が起こることを防止し、アドレス期間で点灯される放電セルに選択的記入動作を行うことができるように全ての放電セルを初期化する必要がある。したがって、第１サブフィールドSF１は全ての行グループG１〜G８の放電セルを初期化して非発光セル状態に設定する共通のリセット期間R１を有する。
【００２９】
次に、第１サブフィールドSF１で第１乃至第８行グループG１〜G８の選択期間が順次に行われる。第i行グループGiの選択期間のアドレス期間SW１では記入放電によって第i行グループの放電セルのうちの発光セルを選択し、第i行グループGi選択期間の維持期間S１では第i行グループGiの発光セル状態の放電セルで維持放電が起こる。この時、第１乃至第i-１行グループG１〜Gi-１の各アドレス期間SW１で発光セル状態に設定された放電セルでも維持放電が起こる。そして第i行グループGiで発光セル状態に設定された放電セルは第２サブフィールドSF２第i行グループGiの選択期間前まで各行グループの維持期間S１、つまり、表示期間の間に維持放電を行う。
【００３０】
また、第２サブフィールドSF２で第１乃至第８行グループG１〜G８の選択期間が順次に行われる。第i行グループGi選択期間のアドレス期間SE１では消去放電によって第１サブフィールドSF１で発光セル状態に設定された放電セルのうちの非発光セルが選択される。第i行グループGi選択期間の維持期間S１では発光セル状態の放電セル（つまり、第１サブフィールドSF１で発光セルに選択された放電セルの中で消去放電が起こらない放電セル）に対して維持放電が行われる。この時、第１乃至第（i-１）行グループG１〜Gi-１の放電セルのうちの第２サブフィールドSF２で発光セル状態に選択された放電セル及び第（i+１）乃至第８行グループGi+１〜G８の放電セルのうちの第１サブフィールドSF１で発光セル状態に選択された放電セルでも維持放電が起こる。そして第i行グループGiで発光セル状態に選択された放電セルは第３サブフィールドSF３の第i行グループGiの選択期間前まで、つまり、表示期間の間に維持放電を行う。
【００３１】
このように、第３サブフィールドSF３から最後のサブフィールドSF_lastでも第１乃至第８行グループG１〜G８に対して順次に選択的消去方式のアドレス期間と維持期間が行われる。そして第i行グループGiの放電セルのうちの第１サブフィールドSF１で記入放電で発光セル状態に設定された放電セルは連結されるサブフィールドSF２〜SF_lastのアドレス期間SE１で消去放電で非発光セル状態に選択される前まで各サブフィールドの表示期間の間に維持放電を続け、非発光セル状態になれば当該サブフィールドから維持放電されない。
【００３２】
再び図２に示すように、最後のサブフィールドSF_lastには各行グループG１〜G８に対して順次に消去期間ERが形成される。最後のサブフィールドSF_lastで第８行グループG８も表示期間の間に維持放電を行う必要がある。しかし、第８行グループG８が表示期間の間に維持放電を行えば直前行グループG１〜G７に対しては表示期間以上に維持放電が行われる。したがって、最後のサブフィールドSF８では各行グループG１〜G８に対して表示期間が終了した後、消去動作を順次に行う。このような消去動作は選択的消去とは異なって当該行グループの全ての放電セルに対して行えばよい。
【００３３】
次に、図３を参照して図２の駆動方法で階調を表現する方法について説明する。図３で“SW”は当該サブフィールドで記入放電が起こって発光セル状態に設定されたことを示して、“SE”は当該サブフィールドに消去放電が起こって非発光セル状態になったことを示す。また、“○”は当該サブフィールドで発光セル状態であることを示す。そして前述したように、全てのサブフィールド表示期間の長さが同一であるので、一つのサブフィールドでのみ維持放電が起こる場合の階調を１とする。
【００３４】
まず、第１サブフィールドSF１のアドレス期間SW１で非発光セル状態になれば維持期間で維持放電が起こらず、次のサブフィールドSF２〜SF_lastでも維持放電が起こらないので０階調が表現される。
【００３５】
そして第１サブフィールドSF１のアドレス期間SW１で記入放電が起こって発光セル状態になれば、第１サブフィールドSF１の表示期間で維持放電が起こるので１階調を表現することができる。次に、第２サブフィールドSF２で消去放電が起こって非発光セル状態になれば、第２サブフィールドSF２から維持放電が起こらないために１階調が表現される。また、第２サブフィールドSF２で消去放電が起こらなければ継続して発光セル状態であるので第２サブフィールドSF２の維持期間でも維持放電が起こって２階調が表現される。
【００３６】
このように、第１サブフィールドSF１で記入放電が起こって発光セル状態になった後、第iサブフィールドSFiで消去放電で非発光セル状態になる放電セルは第１サブフィールドSF１から第（i-１）サブフィールドSF１〜SFi-１で維持放電が起こるので、（i-１）階調が表現される。
【００３７】
次に、本発明の第１実施例によるプラズマ表示パネルの駆動方法に使用される駆動波形について図４を参照して詳細に説明する。
【００３８】
図４は本発明の第１実施例によるプラズマ表示パネルの駆動波形図である。図４では説明の便宜上第１及び第２行グループG１、G２と、第１及び第２サブフィールドSF１、SF２とのみを一部示しており、A電極に対する図示は省略した。そして図４に使用される駆動波形はプラズマ表示パネルの一般的な駆動波形であるので動作についての詳細な説明を省略する。
【００３９】
図４に示すように、まず、第１サブフィールドSF１のリセット期間R１でX電極を接地電圧でバイアスした状態で全ての行グループG１、G２のY電極の電圧を次第に増加させてリセット放電を起こし放電セルに壁電荷を形成する。次に、X電極を正の電圧でバイアスした状態で全ての行グループG１、G２のY電極の電圧を次第に減少させリセット放電によって形成された壁電荷を消去して放電セルを初期化する。
【００４０】
次に、X電極を正の電圧でバイアスした状態で第１行グループG１複数のY電極に順次に走査パルス（図４では接地電圧）を印加し、図示してはいないが、走査パルスが印加されたY電極によって形成される放電セルのうちの発光する放電セルのA電極に正のアドレス電圧を印加する。その結果、走査パルスの電圧とアドレス電圧とが印加された放電セルに記入放電が起こってX電極及びY電極に壁電圧が形成される。この時、第２乃至第８行グループG２〜G８のY電極には走査パルスが印加されない。
【００４１】
引き続き、Y電極に維持放電パルスを印加して発光セル状態の放電セルを放電させ、次いでX電極に維持放電パルスを印加して放電させる。そしてX電極に維持放電パルスが印加される間に第２行グループG２のY電極に順次に走査パルスが印加されて第２行グループG２のアドレス期間が行われる。その後、Y電極及びX電極に維持放電パルスを印加する。このように第１サブフィールドSF１で第１乃至第８行グループG１〜G８に対して選択期間が行われる。
【００４２】
次に、第２サブフィールドSFのアドレス期間SE１で先に第１行グループG１のY電極に順次に負の電圧の走査パルスを印加し、非発光セル状態に設定する放電セルのA電極に正の電圧（図示せず）を印加する。そして走査パルスの幅を狭くして放電によって壁電荷が形成されず消去されるようにする。Y電極に印加された維持放電パルスによって壁電圧が形成された発光セル状態の放電セルのY電極とA電極とに各々負の電圧と正の電圧とが印加されれば、壁電圧及び印加電圧によって放電が起こって電荷が消去され非発光セル状態になる。次いで、X電極とY電極とに交互に維持放電パルスを印加する。そしてこの動作を第２乃至第８行グループG２〜G８に対して順次に行う。
【００４３】
このように、本発明の第１実施例では各行グループの維持期間の間にアドレス期間が形成されて維持期間で形成されたプライミング粒子をアドレス期間で十分に活用することができるので、走査パルスの幅を狭くして高速走査できる。また、選択的消去方式のアドレス期間では壁電荷が消去されるように走査パルスの幅をさらに狭くことができる。また、リセット期間で次第に上昇する電圧と減少する電圧とを利用するのでリセット期間で強い放電が起こらず、全ての行グループに対して一つのフィールドの間に１回のリセット期間が行われるので明暗比を高めることができる。
【００４４】
例えば、選択的記入方式で走査パルスの幅が１．５μs、選択的消去方式で走査パルスの幅が１．０μs、リセット期間の長さが３５０μs、一つのサブフィールドで２０個の維持放電パルスが入ると仮定する。この条件で４８０個の行電極を駆動すれば、第１サブフィールドSF１は１１７０μs（=３５０+１．５*４８０+２０*５）が所要され、残りサブフィールドSF２〜SF_lastは各々３４０μs（=１．０*４８０+２０*５）が所要される。したがって、一つのフィールド（１６.６μs）には全４６個のサブフィールドが入れ、４７個の階調を表現することができる。この時、２×２ディザリングを適用すれば１８８（=４７*４）階調を表現することができ、再び４ビット誤差拡散を適用すれば、３００８（=１８８*１６）階調を表現することができる。
【００４５】
また、本発明の第１実施例では全て加重値が同一なサブフィールドで実現され、第１サブフィールドから連続するサブフィールド表示期間の合計によって階調が表現されるので擬似輪郭が発生しない。
【００４６】
以上で説明した本発明の第１実施例では全てのサブフィールドの長さが同一で、第１サブフィールドから連続的に点灯されるサブフィールドによって階調が表現されるので、サブフィールドのみで表現できる階調数に制限がある。以下ではサブフィールドのみで表現できる階調数を増やせる方法について図５乃至図８を参照して詳細に説明する。
【００４７】
まず、図５及び図６を参照して本発明の第２実施例によるプラズマ表示パネルの駆動方法について説明する。
【００４８】
図５は本発明の第２実施例によるプラズマ表示パネルの駆動方法を概略的に示す図面であり、図６は図５の駆動方法による階調表現方法を示す図面である。
【００４９】
図５に示したように、本発明の第２実施例では複数のサブフィールドSF１〜SF_lastを行電極のグループ化可否によって２グループのサブフィールドにグループ化する。まず、第１グループのサブフィールドは時間的に先頭にある少なくとも一つのサブフィールドからなり、図５では第１乃至第３サブフィールドSF１〜SF３からなると仮定した。そして第２グループのサブフィールドは残りサブフィールドSF４〜SF_lastからなる。
【００５０】
第１グループのサブフィールドSF１〜SF３は各々選択的記入方式のアドレス期間SW２と維持期間S２とを有する。各アドレス期間SW２では全ての行電極の放電セルに対して順次に記入放電を行い、発光セル状態に設定する放電セルを選択する。そして維持期間S２では当該サブフィールドのアドレス期間SW２で発光セル状態に選択された放電セルに対して維持放電を行う。
【００５１】
また、各サブフィールドSF１〜SF３は放電セルを初期化するためのリセット期間をアドレス期間SW２前に有し、一つのフィールドで時間的に先頭に位置する第１サブフィールドSF１は全ての放電セルを初期化するメインリセット期間R２を有する。そして第２及び第３サブフィールドSF２、SF３は各々直前サブフィールドSF１、SF２で維持放電が起こった放電セル、つまり、発光セル状態の放電セルに対してのみ初期化を行う補助リセット期間（図示せず）を有する。
【００５２】
このようにすれば、第１グループのサブフィールドSF１〜SF３では放電セルを各サブフィールドで選択的に維持放電させることができる。この時、第１乃至第３サブフィールドSF１〜SF３の相対的な維持期間の長さ（つまり、加重値）が１、２及び４であれば、第１グループのサブフィールドSF１〜SF３では８種類の階調（０〜７階調）を表現することができる。
【００５３】
次に、第２グループのサブフィールドSF４〜SF_lastは各々第１実施例で説明したサブフィールドSF１〜SF_lastと同一な構造を有する。つまり、複数の行電極を複数の行グループG１〜G８にグループ化してアドレス期間と維持期間とが行われる。
【００５４】
具体的に、第２グループの最初サブフィールドSF４は第１実施例のサブフィールドSF１のようにリセット期間R１を有し、各行グループGiの選択期間は選択的記入方式のアドレス期間SE１と維持期間S１とを有する。また、第２グループの残りサブフィールドSF５〜SF_lastで各行グループGiの選択期間は第１実施例のサブフィールドSF２〜SF_lastにおける各行グループGiの選択期間のように選択的消去方式のアドレス期間SE１と維持期間S１とを有する。最後のサブフィールドSF_lastは第１実施例の最後サブフィールドSF_lastのように消去期間ERを有する。
【００５５】
そして第２グループの各サブフィールドの維持期間S１の合計である表示期間は互いに同一であり、また、第１グループのサブフィールドSF１〜SF３の全維持期間S２の長さと第１サブフィールドSF１の維持期間S２の長さとの合計と同一である。つまり、第２グループの各サブフィールドは第１グループのサブフィールドSF１〜SF３で表現される最大階調（７階調）よりも１階調大きい階調（８階調）が表現できる表示期間を有する。
【００５６】
その結果、第２グループのサブフィールドSF４〜SF_lastでは第４サブフィールドSF４から連続するサブフィールド表示期間の合計によって階調が表現できる。そして第１グループのサブフィールドSF１〜SF３で表現される階調と第２グループのサブフィールドSF４〜SF_lastで表現される階調との合計によって一つのフィールドにおける階調が表現できる。このような階調表現方法について図６を参照して詳細に説明する。
【００５７】
図６で“SW”は当該サブフィールドで記入放電が起こって発光セル状態に設定されたことを示し、“SE”は当該サブフィールドに消去放電が起こって非発光セル状態になったことを示す。また、“○”は当該サブフィールドで発光セル状態であることを示す。
【００５８】
図６に示すように、０階調から７階調までは第１グループのサブフィールドSF１〜SF３で点灯されるサブフィールドの組合せによって表現される。そして８の整数倍に相当する階調は第２グループのサブフィールドSF４〜SF_lastで連続的に点灯されるサブフィールドによって表現され、８以上の階調で８の整数倍でない階調は第１グループのサブフィールドSF１〜SF３と第２グループのサブフィールドSF４〜SF_lastとの組合せによって表現される。
【００５９】
例えば、８N（Nは１以上の整数）階調は第２グループのサブフィールドのみで表現される。つまり、第４サブフィールドSF４から記入放電が起こって発光セル状態に設定された後、第２グループのサブフィールドで時間的に（N+１）番目サブフィールド（SFN+４）で消去放電で非発光セル状態になる場合に８N階調が表現される。このような場合、第１及び第３サブフィールドSF１、SF３で発光セル状態に設定されれば、第１グループのサブフィールドで５階調が表現されて、全（８N+５）階調が表現される。
【００６０】
つまり、第２実施例では第２グループのサブフィールドSF４〜SF３４が全３１個、第１グループのサブフィールドSF１〜SF３が全３個あれば、０階調から２５５階調まで表現することができる。したがって、第１実施例に比べてサブフィールドの個数を減らすことができる。
【００６１】
次に、図７及び図８を参照して本発明の第３実施例によるプラズマ表示パネルの駆動方法について説明する。
【００６２】
図７は本発明の第３実施例によるプラズマ表示パネルの駆動方法を概略的に示す図面であり、図８は図７の駆動方法による階調表現方法を示す図面である。
【００６３】
図７に示したように、本発明の第２実施例では複数のサブフィールドSF１〜SF_lastを行電極のグループ化可否によって２グループのサブフィールドにグループ化する。まず、第１グループのサブフィールドは時間的に先頭にある少なくとも一つのサブフィールドからなり、図７では第１乃至第７サブフィールドSF１〜SF７からなると仮定した。そして第２グループのサブフィールドは残りサブフィールドSF７〜SF_lastからなる。
【００６４】
第１グループのサブフィールドSF１〜SF７は各々アドレス期間と維持期間とを有する。第１グループのサブフィールドで時間的に先頭に位置するサブフィールドSF１のアドレス期間SW２は選択的記入方式であり、残りサブフィールドSF２〜SF７のアドレス期間SE２は選択的消去方式である。そして各サブフィールドSF１〜SF７における維持期間S２の長さが互いに同一である。また、第１サブフィールドSF１は全ての放電セルを初期化するためのリセット期間R２をアドレス期間SW２前に有する。
【００６５】
第１サブフィールドSF１のアドレス期間SW２では、全ての行電極の放電セルのうちの発光セル状態に設定する放電セルに対して記入放電を行って発光セル状態に設定する。そして維持期間S２では、アドレス期間SW２で発光セル状態に選択された放電セルに対して維持放電を行う。
【００６６】
次に、第２サブフィールドSF２のアドレス期間SE２では、第１サブフィールドSF１で発光セル状態である放電セルの中で非発光セル状態に設定する放電セルに対して消去放電を行って非発光セル状態に設定する。その後、維持期間S２では当該サブフィールドのアドレス期間SE２で発光セル状態に選択された放電セルに対して維持放電を行う。このように第３サブフィールドSF３から第７サブフィールドSF７でも発光セル状態の放電セルに対して選択的消去方式のアドレス期間SE２と維持期間S２とが行われる。そして第１サブフィールドSF１で記入放電で発光セル状態に設定された放電セルは連結されるサブフィールドSF２〜SF７のアドレス期間SE２で消去放電で非発光セル状態に選択される前まで各サブフィールドの維持期間S２の間に維持放電を続け、非発光セル状態になれば当該サブフィールドから維持放電されない。このように、第１グループのサブフィールドでは０階調から７階調まで表現することができる。
【００６７】
その後、第２グループのサブフィールドSF８〜SF_lastは各々第１実施例で説明したサブフィールドSF１〜SF_lastと同一な構造を有する。つまり、複数の行電極を複数の行グループG１〜G８にグループ化してアドレス期間と維持期間とが行われる。
【００６８】
具体的に、第２グループの最初サブフィールドSF７は第１実施例のサブフィールドSF１のようにリセット期間R１を有し、各行グループGiの選択期間は選択的記入方式のアドレス期間SE１と維持期間S１とを有する。また、第２グループの残りサブフィールドSF８〜SF_lastで各行グループGiの選択期間は第１実施例のサブフィールドSF２〜SF_lastにおける各行グループGiの選択期間のように選択的消去方式のアドレス期間SE１と維持期間S１とを有する。最後サブフィールドSF_lastは第１実施例の最後サブフィールドSF_lastのように消去期間ERを有する。
【００６９】
そして第２グループの各サブフィールドの維持期間S１の合計である表示期間は互いに同一であり、また、第１グループのサブフィールドSF１〜SF７の全維持期間S２の長さと第１サブフィールドSF１の維持期間S２の長さとの合計と同一である。つまり、第２グループの各サブフィールドは第１グループのサブフィールドSF１〜SF３で表現される最大階調（７階調）よりも１階調大きい階調（８階調）が表現できる表示期間を有する。
【００７０】
以下で図７の駆動方法による階調表現方法について図８を参照して詳細に説明する。
【００７１】
図８に示すように、０階調から７階調までは第１グループのサブフィールドSF１〜SF７で連続的に点灯されるサブフィールドの個数によって表現される。そして８の整数倍に相当する階調は第２グループのサブフィールドSF８〜SF_lastで連続的に点灯されるサブフィールドの個数によって表現され、８以上の階調で８の整数倍でない階調は第１グループのサブフィールドSF１〜SF７と第２グループのサブフィールドSF８〜SF_lastとの組合せによって表現される。したがって、本発明の第３実施例では第１グループのサブフィールドSF１〜SF７が７個、第２グループのサブフィールドSF８〜SF３８が３１個あれば、０階調から２５５階調まで表現することができる。
【００７２】
以上で説明した第２及び第３実施例による駆動方法の詳細な駆動波形は第１実施例の駆動波形から容易に分かるのでその詳細な説明を省略する。また、本発明の実施例で説明した行グループの個数及びサブフィールドの個数は多様な形態に変更することもできる。
【００７３】
以上、本発明の実施例について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【００７４】
【図１】本発明の実施例によるプラズマ表示装置の概略的な概念図である。
【図２】本発明の第１実施例によるプラズマ表示パネルの駆動方法を概略的に示す図面である。
【図３】図２の駆動方法による階調表現方法を示す図面である。
【図４】本発明の第１実施例によるプラズマ表示パネルの駆動波形図である。
【図５】本発明の第２実施例によるプラズマ表示パネルの駆動方法を概略的に示す図面である。
【図６】図５の駆動方法による階調表現方法を示す図面である。
【図７】本発明の第３実施例によるプラズマ表示パネルの駆動方法を概略的に示す図面である。
【図８】図７の駆動方法による階調表現方法を示す図面である。
【符号の説明】
【００７５】
１００  プラズマ表示パネル
２００  制御部
３００  アドレス電極駆動部
４００  維持電極駆動部
５００  走査電極駆動部
A1〜Am  アドレス電極（A電極）
X1〜Xn  維持電極（X電極）
Y1〜Yn  走査電極（Y電極）
G1〜G8  行グループ
SF1〜SF_last  サブフィールド
【図１】
2005346063.tif 000003
【図２】
2005346063.tif 000004
【図３】
2005346063.tif 000005
【図４】
2005346063.tif 000006
【図５】
2005346063.tif 000007
【図６】
2005346063.tif 000008
【図７】
2005346063.tif 000009
【図８】
2005346063.tif 000010